(57)【特許請求の範囲】
【請求項１】
インナーリード線で接続した複数の太陽電池素子を透光性部材と裏面部材との間に配設すると共に、このインナーリード線に接続した平板状の出力取出線と前記裏面部材に端子ボックスを介して取り付けた平板状の端子電極部材とを接続した太陽電池モジュールにおいて、
前記平板状の出力取出線と前記平板状の端子電極部材との接続部に保護カバーが取り付けられ、かつ
前記保護カバーが、上板と、前記上板の対向する辺に下向きに取り付けられる側板とから構成され、前記側板の内側に前記平板状の出力取出線と前記平板状の端子電極部材とが嵌まる溝部を対向して設けられることを特徴とする太陽電池モジュール。
【請求項２】
前記上板の一部に切欠部を設けたことを特徴とする請求項１に記載の太陽電池モジュール。
【請求項３】
前記上板側から螺子を挿入して前記端子電極部材に螺合することによって前記出力取出線と前記端子電極部材との接続部に前記保護カバーを取り付けたことを特徴とする請求項１または２に記載の太陽電池モジュール。
【請求項４】
前記側板の下端部の内側をＲ形状にしたことを特徴とする請求項１から３のいずれかの項に記載の太陽電池モジュール。
【発明の詳細な説明】
【０００１】
【発明の属する技術分野】
本発明は太陽電池モジュールに関し、特に裏面側に出力を取り出すための端子電極部材を設けた太陽電池モジュールに関する。
【０００２】
【従来の技術】
従来の太陽電池モジュールを図４に示す。図４において、１１は太陽電池素子、１２は複数の太陽電池素子を接続するためのインナーリード線、１３はガラスなどから成る透光性部材、１４は太陽電池素子１１を透光性部材１３と裏面部材１５との間に封止するためのＥＶＡ（エチレンビニルアセテート）、１５は太陽電池素子１１を気密に封止するためのアルミニウム箔や耐候性樹脂などから成る裏面部材である。
【０００３】
このような太陽電池モジュールにおいては、インナーリード線１２に接続した出力取出線１６を端子ボックス１８を介して裏面部材１５に固定された端子電極部材１７に半田付けすることによって、太陽電池素子１１の出力をモジュールの外部に取り出していた。
【０００４】
【発明が解決しようとする課題】
ところが、この従来の太陽電池モジュールでは、インナーリード線１２に接続した出力取出線１６を端子電極部材１７に半田付けすることによって、太陽電池素子１１の出力を太陽電池モジュールの外部に取り出しており、屋外に設置される太陽電池モジュールの端子ボックス１８は、きわめて長期間にわたって継続使用されるものであることから、端子電極部材１７と出力取出線１６との接続が外的応力やヒートサイクルで発生する収縮の応力によって損傷したり、半田部分に酸化や腐食によって欠陥が発生して断線し、太陽電池素子１１の出力の取り出しが不可能になり、出力取出線１６と端子電極部材１７との接続部の信頼性が低いという問題があった。
【０００５】
本発明はこのような従来装置の問題点に鑑みてなされたものであり、出力取出線と端子電極部の接続部の耐久性が悪く、出力取出線と端子電極部材との接続部の信頼性が低いという従来の問題を解消した太陽電池モジュールを提供することを目的とする。
【０００６】
【課題を解決するための手段】
上記目的を達成するために、本発明に係る太陽電池モジュールでは、インナーリード線で接続した複数の太陽電池素子を透光性部材と裏面部材との間に配設すると共に、このインナーリード線に接続した平板状の出力取出線と前記裏面部材に端子ボックスを介して取り付けた平板状の端子電極部材とを接続した太陽電池モジュールにおいて、前記平板状の出力取出線と前記平板状の端子電極部材との接続部に保護カバーが取り付けられ、かつ前記保護カバーが、上板と、前記上板の対向する辺に下向きに取り付けられる側板とから構成され、前記側板の内側に前記平板状の出力取出線と前記平板状の端子電極部材とが嵌まる溝部を対向して設けられることを特徴とする。
【０００８】
また、上記太陽電池モジュールでは、前記上板の一部に切欠部を設けることが望ましい。
【０００９】
また、上記太陽電池モジュールでは、前記上板側から螺子を挿入して前記端子電極部材に螺合して前記出力取出線と前記端子電極部材との接続部に前記保護カバーを取り付けることが望ましい。
【００１０】
さらに、上記太陽電池モジュールでは、前記側板の下端部の内側をＲ形状にすることが望ましい。
【００１１】
【発明の実施の形態】
以下、本発明の実施形態を図面に基づいて詳細に説明する。
図１は本発明に係る太陽電池モジュールの出力端子部を示す図であり、１は太陽電池素子、２はインナーリード線、３は透光性ガラス、４は封止剤、５は裏面部材、６は出力取出線、７は端子電極部材、８は端子電極部材を固定するための端子ボックスである。
【００１２】
前記太陽電池素子１は、例えば単結晶や多結晶などの結晶系シリコン基板にｐｎ接続部を設けて、表面側と裏面側に出力を取り出すための電極（不図示）を設けて構成される。
【００１３】
この複数の太陽電池素子１を、所望の出力が得られるように、銅箔の表裏面に半田めっきなどを施したインナーリード線２で直列、並列、または直並列に接続する。
【００１４】
インナーリード線２で接続した複数の太陽電池素子２は、ＥＶＡ（エチレン・ビニル・アセテート）などの透光性樹脂４で、透光性ガラス３と裏面部材５との間に封止される。透光性ガラス３は、例えば白板強化ガラスなどから成る。裏面部材５は耐候性のあるアルミニウム箔の表裏面を耐湿性のあるフッ素樹脂でコーティングした部材などが用いられる。
【００１５】
インナーリード線２の一部に出力取出線６が半田接続され、端子ボックス８に固定された端子電極部材７の一端部に半田接続される。この出力取出線６は表裏面に半田めっきを施した銅箔などから成り、端子電極部材７は銅板などから成る。なお、図１では一つの出力取出線６と端子電極部材７しか図示されていないが、実際には正極側と負極側のそれぞれに出力取出線６と端子電極部材７が設けられる。
【００１６】
この出力取出線６と端子電極部材７は、それぞれの端部側で半田接続される。この半田接続部は、保護カバー９で保護される。
【００１７】
図２（ａ）（ｂ）に保護カバー９部分の斜視図と断面図を示し、図３に長さ方向の平面図と断面図を示す。この保護カバー９は銅材などから成り、上板９ａと、この上板９ａの下方両側に形成された側板９ｂで構成される。この側板９ｂの内側には出力取出線６および端子電極部材７より若干幅広な二つの溝部９ｃが対向するように形成されている。また、上板９ａの一端部側には、ネジ挿通孔９ｄが形成されている。
【００１８】
出力取出線６と端子電極部材７を接続した部分に保護カバー９を外側から取り付ける際に、容易に取り付けられるよう、保護カバー９の下端開口部の内側をＲ形状にしている。
【００１９】
また、保護カバー９を取り付けた後、端子電極部材７および出力取出線６を半田溶着あるいは溶接による接続が可能なように、保護カバー９の他の端部側の中央部分に開口部９ｅが設けられている。
【００２０】
出力取出線６と端子電極部材７とを半田接続した後、保護カバー９の下端開口部のＲ形状部分から出力取出線６と端子電極部材７とを挿入して、溝部９ｃ部分に嵌め、この半田接続部分を保護カバーが被覆するように、半田接続部分に取り付けて、ネジ１０を上板側から挿入して銅板から成る端子電極部材７に螺合することにより、保護カバー９が取り付けられる。
【００２１】
したがって、この出力取出線６と端子電極部材７との半田接続部分が湾曲したり、この接続部分に異物が衝突したりすることはなく、この半田接続部が損傷することが回避される。
【００２２】
【発明の効果】
以上のように、本発明に係る太陽電池モジュールによれば、インナーリード線で接続した複数の太陽電池素子を透光性部材と裏面部材との間に配設すると共に、このインナーリード線に接続した出力取出線と前記裏面部材に端子ボックスを介して取り付けた端子電極部材とを接続した太陽電池モジュールにおいて、前記出力取出線と前記端子電極部材との接続部に保護カバーを取り付けたことから、出力取出線と端子電極部材との接続部を外的要因による応力、あるいは熱収縮による応力、あるいは外的衝撃から保護することができ、この接続部分での断線を極力回避した太陽電池モジュールを提供することができる。
【図面の簡単な説明】
【図１】本発明に係わる太陽電池モジュールの一実施形態を示す断面図である。
【図２】本発明に係わる太陽電池モジュールの要部を示す図であり、（ａ）は斜視図、（ｂ）は断面図である。
【図３】本発明に係る太陽電池モジュールの要部を示す図であり、（ａ）は平面図、（ｂ）は長さ方向の断面図である。
【図４】従来の太陽電池モジュールを示す断面図である。
【図１】
0004336018.tif 000002
【図２】
0004336018.tif 000003
【図３】
0004336018.tif 000004
【図４】
0004336018.tif 000005